(57)【要約】【課題】位置情報信号受信装置の無駄な動作を回避し、電力の浪費を抑制することができる携帯用電子機器を提供すること。【解決手段】現在時刻を表示する時刻表示手段２２と、位置情報衛星から発信される位置情報信号を受信して前記位置情報信号の発信時刻を取得する位置情報信号受信手段１２と、現在位置が屋内であるか屋外であるかを判断する屋内外判断手段１１６と、位置情報信号の発信時刻に基づいて時刻表示手段２２が表示する時刻を位置情報衛星の時計と同期させる時計修正手段１１８とを有し、位置情報信号受信手段１２は、屋内外判断手段１１６が現在位置は屋外であると判断した場合に位置情報信号の受信を行うことを特徴とする携帯用電子機器１０。【選択図】図６
2006194697.tif 000002
【特許請求の範囲】
【請求項１】
現在時刻を表示する時刻表示手段と、
位置情報衛星から発信される位置情報信号を受信して前記位置情報信号の発信時刻を取得する位置情報信号受信手段と、
現在位置が屋内であるか屋外であるかを判断する屋内外判断手段と、
前記位置情報信号の発信時刻に基づいて前記時刻表示手段が表示する時刻を前記位置情報衛星の時計と同期させる時計修正手段とを有し、
前記屋内外判断手段が現在位置は屋内であると判断した場合に前記位置情報信号受信手段を動作させないことを特徴とする携帯用電子機器。
【請求項２】
前記携帯用電子機器の表面に照射される紫外線の強度を測定する紫外線センサを有し、
前記屋内外判断手段は、前記紫外線センサが検出した紫外線の強度に基づいて、前記携帯端末の現在位置が屋内であるか屋外であるかを判断することを特徴とする請求項１に記載の携帯用電子機器。
【請求項３】
現在の日付に基づいて現在の季節を判断する季節判断手段と、
現在の時刻と現在の季節とに基づいて現在は昼か夜かを判断する昼夜判断手段を有し、
前記昼夜判断手段が現在は夜であると判断した場合に前記紫外線センサを動作させないことを特徴とする請求項２に記載の携帯用電子機器。
【請求項４】
前記携帯用電子機器の表面の照度を測定する照度センサを有し、前記昼夜判断手段が現在は夜であると判断した場合には、前記屋内外判断手段は、前記照度センサが検出した照度に基づいて、前記携帯端末の現在位置が屋内であるか屋外であるかを判断することを特徴とする請求項３に記載の携帯用電子機器。
【請求項５】
前記時刻表示手段を照明する照明手段を有し、前記昼夜判断手段が現在は夜であると判断し、かつ、前記照明手段が前記時刻表示手段を照明している場合に、前記位置情報信号受信手段を動作させることを特徴とする請求項３に記載の携帯用電子機器。
【請求項６】
前記携帯用電子機器を使用者の体または衣服に装着する装着手段と、
前記携帯用電子機器が使用者の体または衣服に装着されているときに使用者の体と接触する前記携帯用電子機器の部位の温度を測定する温度センサを有し、
前記温度センサが検出した温度が体温相当温度以下の場合には、前記位置情報信号受信手段と前記紫外線センサと前記照度センサを動作させないことを特徴とする請求項１ないし請求項５のいずれかに記載の携帯用電子機器。
【発明の詳細な説明】
【技術分野】
【０００１】
本発明は、位置情報受信手段を有する携帯用電子機器に関するものである。
【背景技術】
【０００２】
従来より、人工衛星を利用した測位システムとしてＧＰＳ（Ｇｌｏｂａｌ  Ｐｏｓｉｔｉｏｎｉｎｇ  Ｓｙｓｔｅｍ）が用いられている。ＧＰＳを利用すると、ＧＰＳ受信機の現在位置を算出できると共に、ＧＰＳ衛星に搭載されている高精度の原子時計にＧＰＳ受信機の時計を同期させることができる。そのため、ＧＰＳは、本来の位置算出用途のほかに時計の時刻補正の用途にも用いられている。
【０００３】
人が移動するときに携行する携帯用電子機器は、多くの場合、小容量の電池を電力供給源としている。そのため、ＧＰＳ衛星から発信される測位信号を受信することが困難で測位または時刻同期に失敗すると予想される場合には、ＧＰＳ装置の無駄な動作による電力浪費を避ける必要がある。
特許文献１では、腕時計型ＧＰＳ装置にＧＰＳ受信機のアンテナ姿勢検出手段を設け、アンテナが測位信号を受信することが困難な方向を向いている場合には、ＧＰＳ受信機を動作させない構成が提案されている。
【特許文献１】特開平１０−３２５８６２号公報（図１等）
【発明の開示】
【発明が解決しようとする課題】
【０００４】
近年では、高感度のＧＰＳモジュール（たとえば、感度−１５０ｄＢｍ程度、寸法３０ｍｍ×２５ｍｍ×７ｍｍ程度、消費電力６００ｍＷ程度）も実用化されていて、建物の内部等の測位信号の受信強度が弱い場所でも測位等を行うことが可能となっている。しかし、携帯用電子機器、特に腕時計のような小型の機器には、消費電力とＧＰＳモジュールの大きさの問題から、通常感度のＧＰＳモジュール（たとえば、感度−１３５ｄＢｍ程度、寸法１２ｍｍ×１２ｍｍ×３ｍｍ程度、消費電力１００ｍＷ程度）が採用される場合が多い。このような、通常感度のＧＰＳモジュールでは、建物の内部等の環境では、測位を試みても失敗に終わる確率が高い。
同様に、特許文献１に開示されている発明では、ＧＰＳ受信装置を有している携帯用電子機器が屋内においてＧＰＳ受信機を無駄に動作させ電力を浪費してしまうという問題があった。
【０００５】
そこで、本発明は、位置情報信号受信装置の無駄な動作を回避し、電力の浪費を抑制することができる携帯用電子機器を提供することを目的とする。
【課題を解決するための手段】
【０００６】
前記目的は、第１の発明によれば、現在時刻を表示する時刻表示手段と、位置情報衛星から発信される位置情報信号を受信して前記位置情報信号の発信時刻を取得する位置情報信号受信手段と、現在位置が屋内であるか屋外であるかを判断する屋内外判断手段と、前記位置情報信号の発信時刻に基づいて前記時刻表示手段が表示する時刻を前記位置情報衛星の時計と同期させる時計修正手段とを有し、前記屋内外判断手段が現在位置は屋内であると判断した場合に前記位置情報信号受信手段を動作させないことを特徴とする携帯用電子機器により達成される。
【０００７】
第１の発明の構成によれば、携帯用電子機器を携行する使用者は、時刻表示手段に表示される時刻を視認して現在の時刻を知ることができる。位置情報衛星が発信する位置情報信号には、信号を発信した時刻を示す情報が含まれているから、位置情報信号受信手段が位置情報信号を受信して解析することにより、信号の発信時刻を取得することができる。この発信時刻は、位置情報衛星に搭載されている原子時計等の高精度な時計に基づくものである。
時計修正手段は、位置情報信号の発信時刻に基づいて時刻表示手段が表示する時刻を修正するから、携帯用電子機器の使用者は精度の高い時刻を知ることができる。
屋内外判断手段は、携帯用電子機器の現在位置が屋内であるか屋外であるかを判断する。ここで、「屋内」とは位置情報衛星と携帯用電子機器との間に位置情報信号をさえぎる物体があり位置情報信号受信手段が受信する位置情報信号の強度が微弱ないしは零となる場所、たとえば建物の内部や地下街の内部等を意味する。「屋外」とは前記の「屋内」以外の場所を意味する。屋内外判断手段が、現在位置が屋内であるか屋外であるかを判断することにより、その場所において位置情報信号受信手段が十分な強度で位置情報信号を受信して位置情報信号の発信時刻を取得することができるか否かを予想することができる。屋内では、位置情報信号の発信時刻の取得に成功する確率が低く、屋外では高いと考えられる。
位置情報信号受信手段は、屋内外判断手段によって現在位置が屋内であると判断された場合、すなわち位置情報信号の発信時刻の取得に成功する可能性が低い場合には動作しない。
このように、本発明の携帯用電子機器は、位置情報信号の発信時刻の取得に成功する可能性が低い場合には電力消費量が多い位置情報信号受信手段を動作させない。そのため、位置情報信号受信装置を無駄に動作させることがなく電力の浪費を少なくすることができる。
【０００８】
好ましくは、第２の発明によれば、第１の発明の構成において、前記携帯用電子機器の表面に照射される紫外線の強度を測定する紫外線センサを有し、前記屋内外判断手段は、前記紫外線センサが検出した紫外線の強度に基づいて、前記携帯端末の現在位置が屋内であるか屋外であるかを判断することを特徴とする。
【０００９】
第２の発明の構成によれば、屋内外判断手段は、紫外線センサが検出した紫外線の強度に基づいて携帯用電子機器の現在位置が屋内か屋外かを判断する。
太陽光には紫外線が含まれているから、たとえば紫外線センサにより検出された紫外線の強度があるしきい値よりも大きいい場合は屋外、小さい場合は屋内と判断することができる。そのため、公知の安価で小型な紫外線センサを用いて屋内外の判断をすることができる。
また、白熱灯や蛍光灯など照明機器が発する光には紫外線はほとんど含まれていないから、本発明の携帯用電子機器は、照明機器が用いられている室内を誤って屋外と判断することがない。
さらに、紫外線はガラスをほとんど透過しないから、窓ガラス越しに太陽光が差し込んでいる室内を誤って室外と判断することもない。
【００１０】
好ましくは、第３の発明によれば、第２の発明の構成において、現在の日付に基づいて現在の季節を判断する季節判断手段と、現在の時刻と現在の季節とに基づいて現在は昼か夜かを判断する昼夜判断手段を有し、前記昼夜判断手段が現在は夜であると判断した場合に前記紫外線センサを動作させないことを特徴とする。
【００１１】
第３の発明の構成によれば、昼夜判断手段は、現在の時刻と季節に基づいて、現在は昼であるか夜であるかを判断し、現在が夜である場合には紫外線センサを動作させない。
夜間は、屋外であっても太陽光が存在しないため、紫外線強度に基づいてい屋内外の判断をすることができない。したがって、夜間にも紫外線センサを動作させていると電力を浪費することになる。
本発明の携帯用電子機器は、夜間には紫外線センサを動作させないから電力の浪費を防ぐことができる。
【００１２】
好ましくは、第４の発明によれば、第３の発明の構成において、前記携帯用電子機器の表面の照度を測定する照度センサを有し、前記昼夜判断手段が現在は夜であると判断した場合には、前記屋内外判断手段は、前記照度センサが検出した照度に基づいて、前記携帯端末の現在位置が屋内であるか屋外であるかを判断することを特徴とする。
【００１３】
第４の発明の構成によれば、照度センサが、紫外線センサが動作していない夜間に、携帯用電子機器の表面の照度を測定する。
人が夜間に屋内で活動する場合には、照明機器を用いるのが普通である。屋外では、照明はないか、あるいは街路灯のように歩行等をするのに十分な照度である場合が多く、屋内に比べて照度は低いことが多い。したがって、たとえば照度があるしきい値以上の場合は屋内、しきい値未満の場合は屋外と判断することができる。
このように、本発明の携帯用電子機器は、太陽光の存在しない夜間においても、携帯用電子機器の現在位置が屋内か屋外かを判断することができる。
【００１４】
好ましくは、第５の発明によれば、第３の発明の構成において、前記時刻表示手段を照明する照明手段を有し、前記昼夜判断手段が現在は夜であると判断し、かつ、前記照明手段が前記時刻表示手段を照明している場合に、前記位置情報信号受信手段を動作させることを特徴とする。
【００１５】
第５の発明の構成によれば、携帯用電子機器は照明手段を有しているから、使用者は暗い場所、たとえば照明のない夜間の屋外でも時刻表示手段に表示された時刻を視認することができる。
使用者が、夜間に屋内にいる場合には、照明器具を用いて一定の明るさを確保していることが多いと考えられ、携帯用電子機器の照明手段を使用する機会は少ない。したがって、夜間に携帯用電子機器の照明手段が使用された場合は、使用者は屋外にいる可能性が高く位置情報信号の発信時刻の取得に成功する確率が高いということができる。
本発明の携帯用電子機器は、夜間に照明装置が使用された場合、すなわち携帯用電子機器の現在位置が屋外である確率が高い場合に位置情報信号受信手段を動作させるから、位置情報信号の発信時刻の取得に成功する確率を高くすることができる。
【００１６】
好ましくは、第６の発明によれば、第１ないし第５の発明のいずれかに記載の構成において、前記携帯用電子機器を使用者の体または衣服に装着する装着手段と、前記携帯用電子機器が使用者の体または衣服に装着されているときに使用者の体と接触する前記携帯用電子機器の部位の温度を測定する温度センサを有し、前記温度センサが検出した温度が体温相当温度以下の場合には、前記位置情報信号受信手段と前記紫外線センサと前記照度センサを動作させないことを特徴とする。
【００１７】
第６の発明の構成によれば、携帯用電子機器、たとえば腕時計は装着手段を有しているから、使用者の体または衣服に装着することができる。温度センサは、携帯用電子機器の装着時に使用者と接触する部位の温度を測定する。したがって、温度センサが測定する温度は、携帯用電子機器の装着時には使用者の体温に近いもの、非装着時には気温に近いものとなる。
多くの場合、気温は人間の体温よりも低いから、温度センサの測定温度が人間の体温に相当する温度である体温相当温度以下の場合は、携帯用電子機器は使用者の体または衣服に装着されていないと判断することができる。
腕時計のような人体に装着可能な携帯用電子機器は、就寝時にははずされる場合が多い。また、就寝時には室内の照明を消すか照度をごく弱くする習慣の人が大半である。そのため、屋内外判断手段が使用者の就寝中に照度に基づいて屋内外を判断した場合には、照度が弱いため現在位置は屋外と誤って判断して位置情報信号受信手段を動作させて電力を浪費してしまうことが考えられる。
しかし、本発明の携帯用電子機器では、使用者が室内で就寝中と考えられる温度センサの測定温度が体温相当温度以下の場合は、位置情報信号受信手段と紫外線センサと照度センサを動作させないから使用者の就寝時に電力を浪費することがない。
【発明を実施するための最良の形態】
【００１８】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】
（腕時計１０の主なハードウエア構成について）
図１は、本発明の実施形態の腕時計１０の外観を示す概略図である。
腕時計１０は薄い円筒状の本体１１を有している。本体１１の周辺部の対称となる位置には、装着手段の一例である２本のベルト２４が取り付けられている。腕時計１０の使用者は、ベルト２４を手首付近に巻き付けて腕時計１０を装着する。
本体１１の正面側１１ａには、時刻表示手段の一例である表示装置２２が取り付けられていて、使用者が視認できるように現在の時刻を文字や画像で表示する。表示装置２２は、たとえば液晶ディスプレイにより構成されている。
腕時計は、携帯用電子機器の一例であり、本発明は、携帯電話機、ＰＤＡ（Ｐｅｒｓｏｎａｌ  Ｄｉｇｉｔａｌ  Ａｓｓｉｓｔａｎｔｓ）等他の種類の携帯用電子機器にも適用することができる。
【００２０】
位置情報信号受信手段の一例であるＧＰＳ装置１２は、本体１１の内部に組み込まれている。ＧＰＳ装置１２は、ＧＰＳアンテナ１２ａにより位置情報衛星、たとえばＧＰＳ衛星から発信されている位置情報信号を受信して、位置情報信号の発信時刻の一例であるＧＰＳ時刻を取得する。ＧＰＳ時刻は、位置情報衛星に搭載されている原子時計に基づく高精度の時刻である。ＧＰＳアンテナ１２ａは、位置情報信号を受信しやすいように、腕時計１０の正面側１１ａに配置されている。
なお、ＧＰＳ装置１２は、ＧＰＳ時刻の取得だけでなく位置算出のために用いることもできる。
【００２１】
本体１１には、紫外線センサ１４、照度センサ１６および温度センサ１８も組み込まれている。紫外線センサ１４と照度センサ１６は、受光部が、通常の使用状態では光が当たる側である正面側１１ａに向くように配置されている。
温度センサ１８は、腕時計１０が使用者の腕に装着されている状態では使用者の腕に接触する部位である本体背面側１１ｂの温度を測定することができる位置に配置されている。そのため、温度センサ１８が検出する温度は、装着時には使用者の体温、非装着時には気温に近い温度となる。
【００２２】
図２は、腕時計１０の主なハードウエア構成を示す概略図である。
腕時計１０は、制御機能及び演算機能を有するＣＰＵ（Ｃｅｎｔｒａｌ  Ｐｒｏｃｅｓｓｉｎｇ  Ｕｎｉｔ）５０、記憶装置６０、出力装置の一例である表示装置２２を有している。すなわち、腕時計１０はコンピュータを有している。
ＣＰＵ５０は、バス８０を介して記憶装置６０等の他の構成要素との間でデータ及びコントロールコードの授受を行えるようになっている。ＣＰＵ５０は、記憶装置６０に格納されているプログラムを読み込んで実行することにより、腕時計１０全体を制御している。
記憶装置６０はたとえばＲＡＭ（Ｒａｎｄｏｍ  Ａｃｃｅｓｓ  Ｍｅｍｏｒｙ）により構成されていて、ＯＳ（Ｏｐｅｒａｔｉｎｇ  Ｓｙｓｔｅｍ）、デバイスドライバ等の各種プログラム及びデータが格納されている。
【００２３】
クロック５５は、たとえば水晶発振器で構成されていて、ＣＰＵ５０や記憶装置６０に動作クロック信号を供給する。
電子時計２６は、クロック５５から出力されるクロック信号をもとに、１秒間隔のパルスを発生させて表示装置２２に時刻を表示する。また、電子時計２６は日付もカウントすることができる。
紫外線センサ１４および照度センサ１６は、たとえばフォトダイオードで構成されていて、特定波長の光が入力された場合に入力光の強度に応じた電流を発生させる。この電流の大きさを測定することにより、紫外線または可視光線の強度を知ることができる。
温度センサ１８は、たとえばサーミスタで構成されていて、温度による半導体の特性の変化を利用して、サーミスタに接している物体の温度を測定する。
電池７０は、たとえばボタン型の酸化銀電池であり、腕時計１０を構成する各装置に電力を供給する。
【００２４】
（腕時計１０の主なソフトウエア構成）
図３は、腕時計１０のソフトウェア構成を示す概略図である。
制御部１００は、メモリ管理、タスク管理、入出力管理等の機能を有し、腕時計１０の動作全体を制御するためのプログラムである。具体的には、記憶装置６０に格納されているＯＳに実装されていて、ＣＰＵ５０により実行される。
ＧＰＳ部１４２、紫外線センサ部１４４、照度センサ部１４６、温度センサ部１４８、表示部１５０、時計部１５２はそれぞれ、ＧＰＳ装置１２、紫外線センサ１４、照度センサ１６、温度センサ１８、表示装置２２、電子時計２６を制御するためのプログラムである。これらのプログラムは、たとえばデバイスドライバとして実装されていて記憶装置６０に格納されている。
【００２５】
ＣＰＵ５０は、制御部１００の制御のもと、プログラム記憶部１１０に格納されているプログラムを順次読み込んで実行する。ＣＰＵ５０は、プログラムの実行にあたり必要なデータを、データ記憶部１７０から読み込んで取得する。また、制御部１００が取得したデータやプログラム記憶部１１０に格納されているプログラムが生成したデータも、データ記憶部１７０に格納される。
なお、図３に示した３個の記憶部は、物理的に独立した３個の記憶装置を腕時計１０が有していることを示すものではなく、説明の便宜上、記憶装置に格納される情報をその種類により分類して示すためのものである。
【００２６】
装着判断プログラム１１２は、温度センサ１８により測定された温度に基づいて、腕時計１０が使用者の体に装着されているか否かを判断する。装着判断プログラム１１２は、制御部１００を介して温度センサ１８が示している温度を取得して、取得した温度とデータ記憶部１７０に格納されている温度しきい値１７４とを比較する。温度しきい値１７４は、多くの場合に外気温よりは高く、かつ、人間の体温に近い温度、たとえば３５°Ｃに設定しておく。すなわち、温度しきい値１７４は体温相当温度の一例である。
そして、温度センサ１８の示している温度が温度しきい値１７４以上である場合には、腕時計１０が人体に装着されていると判断し、センサ動作フラグ１７６の値を真に設定する。センサ動作フラグは、たとえば１個の論理変数で、値が真である場合には、紫外線センサ１４および照度センサ１６の動作を許可することを示し、値が偽である場合には、紫外線センサ１４および照度センサ１６の動作を許可しないことを示す。
装着判断プログラム１１２は、上記の動作をデータ記憶部１７０に格納されている温度測定間隔１７２に示される時間、たとえば１０分間隔で繰り返す。
【００２７】
昼夜判断手段の一例である昼夜判断プログラム１１４は、センサ動作フラグ１７６の値が真である場合に、時計部１５２から取得した現在の日時とデータ記憶部１７０に格納されている昼夜判断基礎情報１８２に基づいて、現在が「昼」であるか「夜」であるかを判断する。
昼夜判断基礎情報１８２は、上記の「昼」と「夜」を定義するための情報で、昼夜定義情報１８２ａと季節定義情報１８２ｂとからなる。図４（ａ）は、昼夜定義情報１８２ａの内容を示す概略図である。表の第１列は、昼夜の定義が適用される季節を、第２列は「昼」の開始時刻、第３列は「昼」の終了時刻を示している。図４（ｂ）は、季節定義情報１８２ｂの内容を示す概略図である。表の第１列は「夏」の開始日を、第２列は「夏」の終了日を示している。
たとえば、現在日時が５月１０日１８時３０分である場合には、昼夜判断プログラム１１４はまず、季節定義情報１８２ｂを参照して現在の日付が夏開始日と夏終了日の間にあることから、現在は「夏」であると判断する。このような動作を行うから、昼夜判断プログラム１１４は、季節判断手段の一例でもある。次に、昼夜定義情報１８２ａの１行目を参照し、現在時刻が昼開始時刻と昼終了時刻の間にあることから現在は「昼」であると判断する。現在日時が１０月２０日１８時３０分である場合は、上述と同様の手順で現在は「夜」であると判断する。
昼夜判断プログラム１１４は、判断結果をデータ記憶部１７０に昼夜情報１８０として格納する。昼夜情報１８０は、たとえば整数変数で、たとえば、判断結果が昼の場合は値を「１」、判断結果が夜の場合は「２」とする。
【００２８】
屋内外判断手段の一例である屋内外判断プログラム１１６は、紫外線センサ１４または照度センサ１６が検出した紫外線または可視光の強度に基づいて、腕時計１０が屋内にあるか屋外にあるかを判断する。
昼夜情報１８０が、現在が「昼」であることを示している場合には、紫外線センサ１４が検出した紫外線強度と紫外線強度しきい値１８４とを比較する。紫外線強度が紫外線強度しきい値１８４よりも強い場合には、現在位置は、太陽光線が照射されている屋外であると判断する。そうでない場合には、屋内であると判断する。
昼夜情報１８０が、現在が「夜」であることを示している場合には、照度センサ１４が検出した照度と照度しきい値１８６とを比較する。照度が照度しきい値１８６よりも小さい場合には、現在位置は、照明設備がないかあって暗いものである屋外であると判断する。そうでない場合には、屋内であると判断する。
そして、現在位置が屋外であると判断した場合には、制御部１００を介してＧＰＳ部１４２に、ＧＰＳ信号の受信の開始を指示する。
【００２９】
ＪＩＳのガイドラインによると、屋内での望ましい照度として読書等を行う場合で３５０ないし２０００ルクス、その他の場合で５０ないし５００ルクス、が示されている。また、屋根があるため本明細書においては「屋内」に分類されるアーケード街では、１００ないし７５０ルクスを確保すべきとされている。一方、屋外の中では比較的照度の高い商店街では１０ないし１００ルクスとされている。
このことから、照度しきい値１８６は５０ルクスから１００ルクスの間に設定すると、屋内屋外の判断を誤ることが少なくなると考えられて好ましい。
【００３０】
時計修正手段の一例である時刻修正プログラム１１８は、ＧＰＳ部１４２が取得したＧＰＳ時刻に基づいて、電子時計２６が刻む時刻を修正する。たとえば、電子時計２６が１秒ごとに発信する正秒パルスをＧＰＳ時刻に同期するように修正する。
【００３１】
（腕時計１０の主な動作例について）
腕時計１０は以上のように構成されるが、次に、その動作例等について図２、図３、図５および図６を参照しながら説明する。
図５は、腕時計１０が温度測定間隔１７２が経過するごとに温度センサ１８を参照して紫外線センサ１４と照度センサ１６を動作させるか否かを決定するプロセスを示す概略フローチャートである。
装着判断プログラム１１２は、前回温度センサ１８の温度を参照してから、温度測定間隔１７２（たとえば１０分）が経過すると、温度センサ１８の温度と温度しきい値１７４を比較する（ＳＴ１の判断がＹｅｓ、ＳＴ２）。温度測定間隔１７２の経過は、たとえばタイマ割り込みによって制御部１００が装着判断プログラム１１２に通知する。
温度センサ１８の温度が、温度しきい値１７４以上である場合には、装着判断プログラム１１２は、センサ動作フラグ１７６の値を真に設定し（センサ動作フラグ１７６をオンとし）、紫外線センサ１４および照度センサ１６の動作を許可する（ＳＴ２の判断がＹｅｓ、ＳＴ３）。センサ動作フラグ１７６の設定が終わると温度測定間隔１７２の経過待ち状態（ＳＴ１）に戻る。
温度センサ１８の温度が、温度しきい値１７４未満である場合には、装着判断プログラム１１２は、センサ動作フラグ１７６の値を偽に設定し（センサ動作フラグ１７６をオフとし）、紫外線センサ１４および照度センサ１６の動作を禁止する（ＳＴ２の判断がＮｏ、ＳＴ４）。センサ動作フラグ１７６の設定が終わると温度測定間隔１７２の経過待ち状態（ＳＴ１）に戻る。
装着判断プログラム１１２は、上記のＳＴ１からＳＴ４の動作を腕時計１０の電源が入っている間は常に行っている。
【００３２】
図６は、腕時計１０が、ＧＰＳ信号を利用して電子時計２６の時刻を補正するプロセスを示す概略フローチャートである。
前回時刻補正を試みてから時刻補正間隔１７８（たとえば１時間）が経過すると、昼夜判断プログラム１１４は、センサ動作フラグ１７６を参照して紫外線センサ１４および照度センサ１６の動作が許可されているか否かを判断する（ＳＴ１０の判断がＹｅｓ、ＳＴ１２）。時刻補正間隔１７２の経過は、たとえばタイマ割り込みによって制御部１００が昼夜判断プログラム１１４に通知する。
センサ動作フラグ１７６の値が真である場合には、昼夜判断プログラム１１４は、時計部１５２から取得した現在日時と昼夜判断基礎情報１８２とを比較して、現在が「昼」なのか「夜」なのかを判断する（ＳＴ１２の判断がＹｅｓ、ＳＴ１４）。そして、現在が「昼」の場合には、昼夜情報１８０の値を「１」とする。現在が「夜」の場合には、昼夜情報１８０の値を「２」とする。
【００３３】
屋内外判断プログラム１１６は、紫外線センサ１４または照度センサ１６を参照して、腕時計１０の現在位置が屋内であるか屋外であるかを判断する。
現在が昼である場合、すなわち昼夜情報１８０が「１」である場合は、紫外線センサ１４を判断に用いるセンサとして選択する（ＳＴ１５の判定がＹｅｓ、ＳＴ１６）。そして、紫外線センサ１４から取得した紫外線強度と紫外線強度しきい値１８４とを比較して、紫外線強度が紫外線強度しきい値１８４以上である場合には、現在位置が屋外であると判断し、ＧＰＳ部１４２にＧＰＳ時刻の取得を指示する（ＳＴ１８の判断がＹｅｓ、ＳＴ２４）。紫外線強度が、紫外線強度しきい値未満の場合は、測位は行わず時刻補正間隔の経過待ち状態に戻る（ＳＴ１８の判断がＮｏ、ＳＴ１０）。
現在が夜である場合、すなわち昼夜情報１８０が「２」である場合は、照度センサ１６を判断に用いるセンサとして選択する（ＳＴ１５の判定がＮｏ、ＳＴ２０）。そして、照度センサ１６から取得した照度と照度しきい値１８６とを比較して、照度が照度しきい値１８６未満である場合には、現在位置が屋外であると判断し、ＧＰＳ部１４２にＧＰＳ時刻の取得を指示する（ＳＴ２２の判断がＮｏ、ＳＴ２４）。照度が、照度しきい値１８６未満の場合は、測位は行わず時刻補正間隔１７８の経過待ち状態に戻る（ＳＴ２２の判断がＹｅｓ、ＳＴ１０）。
ＧＰＳ時刻の取得に成功した場合には、時刻修正プログラム１１８が、ＧＰＳ時刻と電子時計２６とを同期させ時刻を修正する（ＳＴ２６の判断がＹｅｓ、ＳＴ２８）。ＧＰＳ時刻の取得が失敗した場合には、時刻補正間隔１７８の経過待ち状態に戻る（ＳＴ２６の判断がＮｏ、ＳＴ１０）。
図６に示したプロセスは、図５に示したプロセスと並行して腕時計１０の電源が入っている間は常に動作している。
【００３４】
このように、本発明の腕時計１０によれば、屋内外判断プログラム１１６が、紫外線センサ１４または照度センサ１６の測定値に基づいて、腕時計１０の現在位置が屋内か屋外かを判断することができる。そして、屋内外判断プログラム１１６は、現在位置が屋内であると判断した場合には、ＧＰＳ装置１２を動作させない。そのため、ＧＰＳ時刻の取得に失敗する可能性の高い屋内でＧＰＳ装置１２を動作させて電力を浪費することがない。
また、屋内外判断プログラム１１６は、紫外線強度に基づいて屋内外を判断するため、昼間に白熱灯などで照明されている室内や太陽光が差し込んでいる屋内を誤って屋外と判断することがない。
さらに、昼夜判断プログラム１１４を有しているため、現在が昼か夜かを判断することができる。そのため、紫外線センサ１４を屋内外判断のために有効に利用することができる昼間だけ動作せることができ、さらなる省電力を実現することができる。
さらに、照度センサ１６を有しているから、紫外線強度に基づいて屋内外を判断することができない夜間においても、屋内外判断プログラム１１６が照度に基づいて屋内外の判断をすることができる。そのため、夜間においても、室内でＧＰＳ装置１２を無駄に動作させることを防ぐことができ、電力の浪費を抑制することができる。
さらに、温度センサ１８を有しているため、装着判断プログラム１１２が、温度センサ１８によって測定された温度に基づいて腕時計１０が使用者の体または衣服に装着されているか否かを判断することができ、装着されていないときには、ＧＰＳ装置１２を動作させないようにすることができる。そのため、使用者が照明を消した屋内で腕時計１０を腕からはずして就寝しているときに、誤って現在位置を屋外であると判断し、ＧＰＳ装置１２を無駄に動作させてしまうことがない。
【００３５】
（第２の実施形態）
次に、本発明の第２の実施形態である腕時計１０ａについて説明する。腕時計１０ａの構成は腕時計１０と同一の部分が多いので、同一の部分には同一の符号を付して説明を省略し、異なる部分を中心に説明する。
【００３６】
（腕時計１０ａのハードウェア構成）
図７は、腕時計１０ａの外観を示す概略図である。
腕時計１０ａは、腕時計１０が有していた照度センサ１６（図１参照）は有していない。これは、腕時計１０ａは、夜間においては腕時計１０とは異なる方法でＧＰＳ装置１２の動作可否を決定するからである。
腕時計１０ａは表示装置２２を背面から照明するバックライト３０ｂを有している。バックライト３０ｂが点灯した状態では、腕時計１０ａの使用者は、夜間の屋外等照明機器のない場所でも表示装置２２に表示された時刻を視認することができる。本体１１の側面部には、ライト点灯ボタン３０ａが配置されている。ライト点灯ボタン３０ａが図７の矢印Ｐ方向に押し下げられるとバックライト３０ｂが点灯する。ライト点灯ボタン３０ａを押し下げていた力が解除されると、ライト点灯ボタン３０ａは元の位置に戻り、バックライト３０ｂは消灯する。
【００３７】
図８は、腕時計１０ａの主なハードウエア構成を示す概略図である。
照度センサは有していないことと、照明装置３０を有していることが図２の腕時計１０と異なっている。
照明手段の一例である照明装置３０は、ライト点灯ボタン３０ａとバックライト３０ｂにより構成されている。ライト点灯ボタン３０ａは、バックライト３０ｂを点灯または消灯するためのボタンで、たとえば使用者が指で押すことにより操作する。
バックライト３０ｂは、たとえばＬＥＤ（Ｌｉｇｈｔ  Ｅｍｉｔｔｉｎｇ  Ｄｉｏｄｅ）により構成されていて、表示装置２２の背面から光を照射して暗い場所でも使用者が表示装置に表示された時刻を視認できるようにする。
【００３８】
（腕時計１０ａのソフトウェア構成）
図９は、腕時計１０ａのソフトウェア構成を示す概略図である。
腕時計１０ａは、照度センサを有していないため、屋内外判断プログラム１１６ａの動作が、腕時計１０の屋内外判断プログラム１１６（図３参照）とは異なっている。また、ライト点灯ボタン３０ｂが押されたことを検出するために、ボタン監視プログラム１２０がプログラム記憶部１１０に格納されている。
データ記憶部１７０に格納されるデータでは、腕時計１０が有している照度しきい値情報１８６（図３参照）を腕時計１０ａは有していない。
【００３９】
屋内外判断プログラム１１６ａは、第１に、時刻補正間隔１７８が経過し、かつセンサ動作フラグ１７６の値が真である場合に起動する。そして、起動した時が昼夜判断プログラム１１４ａにより昼と判断された場合には腕時計１０の場合と同様に紫外線センサ１４から取得した紫外線強度に基づいて屋内外の判定をする。起動した時が昼夜判断プログラム１１４ａにより夜と判断された場合は、屋内外の判定を行わず、ＧＰＳ部１４２に対するＧＰＳ時取得指示も行わない。
屋内外判断プログラム１１６ａは、第２に、ライト点灯ボタン３０ａが押されたときに起動する。起動した時が昼夜判断プログラム１１４ａにより昼と判断された場合には、屋内外の判定を行わず、ＧＰＳ部１４２に対するＧＰＳ時刻取得指示も行わない。起動した時が昼夜判断プログラム１１４ａにより夜と判断された場合には、ＧＰＳ部１４２に対してＧＰＳ時刻の取得を指示する。これは、夜間にライト点灯ボタン３０ａが押された場合には、腕時計１０の現在位置は、外部の照明のない屋外であると推定することができ、ＧＰＳ時刻の取得に成功する確率が高いからである。
【００４０】
ボタン監視プログラム１２０は、ライト点灯ボタン３０ａの動作を常時監視していて、ライト点灯ボタン３０ａが押されたときに、屋内外判断プログラム１１６ａを起動する。たとえば、ライト点灯ボタン３０ａの出力信号を監視し、ライト点灯ボタン３０ａが押されたことを示す信号を検出したときに、制御部１００に対して屋内外判断プログラム１１６ａの起動要求メッセージを送出する。
【００４１】
（腕時計１０ａの主な動作例について）
本実施の形態に係る腕時計１０ａは以上のように構成されるが、次に、その動作例等について図８、図９、図１０および図１１を参照しながら説明する。
温度センサ１８の測定温度に基づいて、紫外線センサ１４の動作を許可する動作は、図５に示した腕時計１０の場合と同様である。
【００４２】
図１０は、腕時計１０ａが、位置情報信号を利用して電子時計２６の時刻を補正するプロセスを示す概略フローチャートである。この動作も、図６に示す腕時計１０の場合と基本的には同様である。
前回時刻補正を試みてから時刻補正間隔１７８（たとえば１時間）が経過すると、昼夜判断プログラム１１４ａは、センサ動作フラグ１７６を参照して紫外線センサ１４の動作が許可されているか否かを判断する（ＳＴ１０の判断がＹｅｓ、ＳＴ１２）。
センサ動作フラグ１７６の値が真である場合には、昼夜判断プログラム１１４ａは、時計部１５２から取得した現在日時と昼夜判断基礎情報１８２とを比較して、現在が「昼」なのか「夜」なのかを判断し昼夜情報１８０の値を設定する（ＳＴ１２の判断がＹｅｓ、ＳＴ１４）。
現在が昼の場合には、屋内外判断プログラム１１６ａが、紫外線強度に基づいて屋内外の判断を行い、腕時計１０ａの現在位置が屋外である場合に、時刻修正プログラム１１８がＧＰＳ装置１２を利用して電子時計２６の補正を行う（ＳＴ１５の判断がＹｅｓ、ＳＴ１６からＳＴ２８）。この場合の動作の詳細は、図６に示した腕時計１０と同様である。
現在が夜の場合には、ライト点灯ボタン３０ａが押されたときに、時刻修正プログラム１１８がＧＰＳ装置１２を利用して電子時計２６の補正を行う（ＳＴ１５の判断がＮｏ、図１１のＳＴ５０）。
【００４３】
図１１は、図１０のＳＴ１５の判断がＮｏとなった後にライト点灯ボタン３０ａが押されたときの腕時計１０ａの動作を示す概略フローチャートである。
ボタン監視プログラム１２０が、バックライト３０ａが押されたことを検出すると、屋内外判断プログラム１１６ａ（図９参照）が再度起動され、昼夜判断プログラム１１４ａにより昼夜判断が行われる（ＳＴ５０の判定がＹｅｓ、ＳＴ５２）。図１０のＳＴ１５の判断が行われてから時間が経過し、現在は昼となっている可能性があるからである。
現在が昼の場合には、なにもせず終了する（ＳＴ５２の判定がＮｏ、終了）。昼の場合には、ライト点灯ボタン３０ａの押下に伴ってＧＰＳ装置１２が起動されることはない。
現在が夜の場合には、屋内外判断プログラム１１６ａが、バックライト３０ｂを点灯させるとともに、ＧＰＳ部１４２に対してＧＰＳ時刻の取得を指示する（ＳＴ５２の判定がＹｅｓ、ＳＴ５４）。この後の動作（ＳＴ５８、ＳＴ６０）は、腕時計１０の場合（図６のＳＴ２６、ＳＴ２８）と同様である。
【００４４】
このように、本発明の腕時計１０ａによれば、紫外線センサ１４を利用して屋内外の判断をすることができない夜間においても、使用者によるライト点灯ボタン３０ａの操作に基づいて、屋内外の判断をすることができる。
そのため、腕時計１０ａによれば、ＧＰＳ時刻の取得に失敗する可能性の高い屋内において、ＧＰＳ装置１２を無駄に動作させて電力を浪費することを防止できる。
【００４５】
（プログラム及びコンピュータ読み取り可能な記録媒体等について）
上述の動作例の各工程をコンピュータに実行させる携帯用電子機器の制御プログラムとすることができる。
また、このような制御プログラムを記録したコンピュータ読み取り可能な記録媒体とすることもできる。
【００４６】
これら携帯用電子機器の制御プログラム等をコンピュータにインストールし、コンピュータによって実行可能な状態にするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔｅｒｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００４７】
本発明は、上述の各実施の形態に限定されない。さらに、上述の各実施の形態は、相互に組み合わせて構成するようにしてもよい。
【図面の簡単な説明】
【００４８】
【図１】本発明の実施形態にかかる腕時計の外観を示す概略図である。
【図２】図１の腕時計の主なハードウエア構成を示す概略図である。
【図３】図１の腕時計の主なソフトウエア構成を示す概略図である。
【図４】昼夜判断基礎情報を示す概略図である。
【図５】図１の腕時計の主な動作例を示す概略フローチャートである。
【図６】図１の腕時計の主な動作例を示す概略フローチャートである。
【図７】本発明の第２実施形態にかかる腕時計の外観を示す概略図である。
【図８】図７の腕時計の主なハードウエア構成を示す概略図である。
【図９】図７の腕時計の主なソフトウエア構成を示す概略図である。
【図１０】図７の腕時計の主な動作例を示す概略フローチャートである。
【図１１】図７の腕時計の主な動作例を示す概略フローチャートである。
【符号の説明】
【００４９】
１０（１０ａ）・・・腕時計、１２・・・ＧＰＳ装置、１４・・・紫外線センサ、１６・・・照度センサ、１８・・・温度センサ、２２・・・表示装置、２４・・・ベルト、２６・・・電子時計、５０・・・ＣＰＵ、５５・・・クロック、６０・・・記憶装置、７０・・・電池、１００・・・制御部、１１２・・・装着判断プログラム、１１４・・・昼夜判断プログラム、１１６・・・屋内外判断プログラム、１１８・・・時計修正プログラム、３０・・・照明装置、１２０・・・ボタン監視プログラム
【図１】
2006194697.tif 000003
【図２】
2006194697.tif 000004
【図３】
2006194697.tif 000005
【図４】
2006194697.tif 000006
【図５】
2006194697.tif 000007
【図６】
2006194697.tif 000008
【図７】
2006194697.tif 000009
【図８】
2006194697.tif 000010
【図９】
2006194697.tif 000011
【図１０】
2006194697.tif 000012
【図１１】
2006194697.tif 000013